(57)【要約】【課題】  冷却水との接触による被覆電線にかかるストレスが小さくてすむようにした状態で被覆電線に対する高い冷却能力を有することができて、ストレスによる被覆電線の伸びによって樹脂被覆と芯線との密着力低下を招くことなく、被覆電線を所定温度にまで冷却することができる被覆電線引取機を提供すること。【解決手段】  樹脂被覆されて冷却水槽に導入された後に該冷却水槽を出て巻取機に向かう途中の被覆電線１を、前後に複数回往復させて巻き付けるための前後キャプスタン４，５と、これら前後キャプスタン４，５の間に配置されて該前後キャプスタン４，５間の下側被覆電線走行路に沿って延び、冷却用の水膜流を形成するための水膜流形成用溝状体６とを備え、前後キャプスタン４，５間において被覆電線１を前記水膜流の中を走行させるように構成した被覆電線引取機。【選択図】  図２
2006127862.tif 000002
【特許請求の範囲】
【請求項１】
樹脂被覆されて冷却水槽に導入された後に該冷却水槽を出て巻取機に向かう途中の被覆電線を、前後に複数回往復させて巻き付けるための前後キャプスタンと、これら前後キャプスタンの間に配置されて該前後キャプスタン間の下側被覆電線走行路に沿って延び、冷却用の水膜流を形成するための水膜流形成用溝状体とを備え、前記前後キャプスタン間において前記被覆電線を前記水膜流の中を走行させるように構成したことを特徴とする被覆電線引取機。
【請求項２】
前記水膜流形成用溝状体における被覆電線入側から該水膜流形成用溝状体に冷却水を流入させる給水管を備えていることを特徴とする請求項１記載の被覆電線引取機。
【請求項３】
被覆電線製造開始時に一時的に前記水膜流形成用溝状体を被覆電線冷却時通常位置より下降させるための溝状体昇降装置を備えていることを特徴とする請求項１又は２記載の被覆電線引取機。
【発明の詳細な説明】
【技術分野】
【０００１】
本発明は、被覆電線製造ラインにおける冷却水槽と巻取機との間に設けられて、冷却水槽からの被覆電線を引っ張って走行させる被覆電線引取機であって、特に被覆電線の冷却機能を有する被覆電線引取機に関するものである。
【背景技術】
【０００２】
図９は被覆電線製造ラインの一般的な構成を示しており、この製造ラインでは、上流側に、芯線（導体）５１の供給リールを有する送出機５２、伸線機５３及び連続軟化機５４が設けられ、この連続軟化機５４の下流側に、芯線５１に樹脂被覆（絶縁体）を被覆する押出機５５が設けられている。そして、押出機５５のさらに下流側には、樹脂被覆されて走行する高温の被覆電線５６を冷却して硬化させるための冷却水槽５７と、冷却水槽５７からの被覆電線５６を引っ張って走行させるための被覆電線引取機５８が設けられ、この被覆電線引取機５８を出た被覆電線５６は、図示しないダンサローラを介して巻取機６３のボビン６４に巻き取られるようになっている。
【０００３】
ここで、前記の被覆電線引取機５８は、冷却水槽５７からの被覆電線５６を引っ張って走行させるとともに、生産性向上のために被覆電線５６の線速をアップした場合に冷却水槽５７の冷却能力を補完して被覆電線５６を所定の温度にまで冷却できるようにすべく、被覆電線５６の冷却を行うように構成されている。
【０００４】
図１０は図９における従来の被覆電線引取機の一例を示す概略構成図である。図１０に示すように、この従来の被覆電線引取機５８は、被覆電線５６の走行ラインが内部を通過するように配置されたケーシング５９内に、被覆電線５６を同ケーシング５９内で前後に複数回往復して巻き付けるための前後キャプスタン６０，６１と、前後キャプスタン６０，６１間を走行する被覆電線５６に向けて冷却水をシャワー状態で噴射する複数個のシャワーノズル６２とを備えている。なお、本明細書では、被覆電線製造ラインにおける被覆電線の走行方向下流側（図１や図１０における右側）を前側、同方向上流側（図１や図１０おける左側）を後側と定めている。
【０００５】
一方、特開平６−３３８２３１号公報には、冷却水槽において冷却された被覆電線の樹脂被覆層をアキュームレータに巻き付けた状態で冷却するようにした電線冷却装置が開示されている。図１１は従来技術に係る電線冷却装置の構成を示す概略構成図である。
【０００６】
この電線冷却装置は、図１１に示すように、冷却水槽と巻取機との間に配置され（詳しくは冷却水槽下流の引取機と巻取機との間に配置され）、被覆電線７１の引取り速度と巻取機の巻取り速度との速度差を吸収する前後ターンシーブ７２Ａ，７２Ｂからなるアキュームレータ７２と、冷却水を貯留してアキュームレータ７２の下側に配置され、アキュームレータ７２に蓄線された被覆電線７１を冷却水中を走行させることで冷却する冷却トレイ７３と、前ターンシーブ７２Ａを矢印７４方向へ移動させて被覆電線７１の速度変動を吸収するようにした図示しない張力付加機構とを備えている。
【０００７】
このように、アキュームレータ７２の下側に冷却トレイ７３を配置し、この上側が開放した箱状をなす冷却トレイ７３内の冷却水中に、前後ターンシーブ７２Ａ，７２Ｂの一部が沈むとともに、前後ターンシーブ７２Ａ，７２Ｂ間における下側被覆電線走行路を走行する被覆電線７１が深く沈むようにして、アキュームレータ７２に蓄線された被覆電線７１の冷却を行うようにしている。
【特許文献１】特開平１０−８７１６４号公報（段落［００２７］、図１）
【特許文献２】特開平６−３３８２３１号公報（段落［００１１］、図１）
【発明の開示】
【発明が解決しようとする課題】
【０００８】
しかし前述した、シャワーノズル６２を備えた被覆電線引取機５８では、前後キャプスタン６０，６１間を走行する被覆電線５６に向けて冷却水をシャワー状態で噴射するようにしたものであるから、冷却水中を走行させるものに比べて冷却能力が低く、線速をアップした場合、被覆電線５６を所定の温度にまで十分冷却できずに、下流の巻取機による巻取りの際にその樹脂被覆の一部がつぶれて形状変形が生じることがある。
【０００９】
そこで、被覆電線引取機において被覆電線を冷却するために、シャワーノズル６２に代えて前述した電線冷却装置における冷却トレイ７３を、被覆電線引取機に適用することが考えられる。
【００１０】
ところが、前記冷却トレイを備えた被覆電線引取機の場合は、上側が開放した箱状をなす冷却トレイ内の冷却水中に、前後の各ターンシーブ７２Ａ，７２Ｂ（以後、キャプスタンという）の一部が沈むとともに、これらの前後キャプスタン間における下側被覆電線走行路を走行する被覆電線が冷却水中をある深さをもって走行することとなる。このため、冷却水との接触によって被覆電線にかかる抵抗に抗して被覆電線を引っ張って走行させる際の被覆電線にかかるストレス（引張りストレス）、すなわち、冷却水との接触に起因して被覆電線にかかるストレス（引張りストレス）が大きなものとなる。また、冷却水中に前後の各キャプスタンの一部が沈む状態となることから、冷却水がキャプスタンの回転を妨げ、これに抗して被覆電線を引っ張って走行させようとするため、被覆電線にかかるストレスがますます増大することとなる。
【００１１】
このため、被覆電線引取機において、シャワーノズルに代えて冷却トレイを備えるようにしたものの場合、シャワーノズルを備えたものに比べて高い冷却能力が得られるものの、冷却水との接触に起因して生じる被覆電線にかかるストレスが大きいため、このストレスによる被覆電線の伸びによって樹脂被覆と芯線との密着力が低下することが考えられる。
【００１２】
そこで本発明の課題は、被覆電線製造ラインにおける冷却水槽と巻取機との間に設けられて、冷却水槽からの被覆電線を引っ張って走行させるとともに、冷却水による被覆電線の冷却をも行う被覆電線引取機において、冷却水との接触に起因して被覆電線にかかるストレスが小さくてすむようにした状態で被覆電線に対する高い冷却能力を有することができて、ストレスによる被覆電線の伸びによって樹脂被覆と芯線との密着力低下を招くことなく、被覆電線を所定温度にまで冷却することができる被覆電線引取機を提供することにある。
【課題を解決するための手段】
【００１３】
前記の課題を解決するため、本願発明では、次の技術的手段を講じている。
【００１４】
請求項１の発明は、樹脂被覆されて冷却水槽に導入された後に該冷却水槽を出て巻取機に向かう途中の被覆電線を、前後に複数回往復させて巻き付けるための前後キャプスタンと、これら前後キャプスタンの間に配置されて該前後キャプスタン間の下側被覆電線走行路に沿って延び、冷却用の水膜流を形成するための水膜流形成用溝状体とを備え、前記前後キャプスタン間において前記被覆電線を前記水膜流の中を走行させるように構成したことを特徴とする被覆電線引取機である。
【００１５】
請求項２の発明は、請求項１記載の被覆電線引取機において、前記水膜流形成用溝状体における被覆電線入側から該水膜流形成用溝状体に冷却水を流入させる給水管を備えていることを特徴とするものである。
【００１６】
請求項３の発明は、請求項１又は２記載の被覆電線引取機において、被覆電線製造開始時に一時的に前記水膜流形成用溝状体を被覆電線冷却時通常位置より下降させるための溝状体昇降装置を備えていることを特徴とするものである。
【発明の効果】
【００１７】
請求項１の被覆電線引取機は、前キャプスタン４と後キャプスタン５からなる前後キャプスタン５の間に配置されて該前後キャプスタン５間の下側被覆電線走行路に沿って延び、冷却用の水膜流を形成するための水膜流形成用溝状体を備え、前後キャプスタン５間において被覆電線を前記水膜流の中を走行させるように構成されている。したがって、被覆電線を水膜流という低水位の冷却水流の中を走行させることにより、冷却水との接触に起因して被覆電線にかかるストレスが小さくてすむようにした状態で被覆電線に対する高い冷却能力を有することができて、ストレスによる被覆電線の伸びによって樹脂被覆と芯線との密着力低下を招くことなく、被覆電線を所定温度にまで冷却することができる。
【００１８】
請求項２の被覆電線引取機は、給水管により、水膜流形成用溝状体における被覆電線入側から該水膜流形成用溝状体に冷却水を流入させるように構成されている。したがって、走行する被覆電線によって冷却水が運ばれていくようになるので、下側被覆電線走行路の被覆電線全体にわたって冷却水がまわり易くて、被覆電線に対する高い冷却能力を発揮でき、また、被覆電線走行方向と同一方向に水膜流が流れることで、被覆電線にかかるストレスがより小さくてすむ。
【００１９】
請求項３の被覆電線引取機は、被覆電線製造開始時に一時的に水膜流形成用溝状体を被覆電線冷却時通常位置より下降させるための溝状体昇降装置を備えている。したがって、被覆電線製造開始時に、前後キャプスタン５間に芯線のみの部分と樹脂被覆された被覆電線部分とが同時に存在することで線径の違いによる走行速度差を生じて、前後キャプスタン５間において線たるみが発生しても、溝状体昇降装置によって水膜流形成用溝状体を冷却時通常位置より下方へ下げておくことにより、前後キャプスタン５間を走行している線と水膜流形成用溝状体の表側面との干渉を回避でき、その結果、前後キャプスタン５からの線はずれを防止することができる。
【発明を実施するための最良の形態】
【００２０】
以下、図面に基づいて本発明の実施形態について説明する。図１は本発明の一実施形態による被覆電線引取機の概略図であって、その（ａ）は平面図、その（ｂ）は側面断面図である。図２は図１に示す被覆電線引取機の要部斜視図である。
【００２１】
図１及び図２に示すように、本実施形態の被覆電線引取機は、冷却水槽を出て巻取機に向かう途中の被覆電線１の走行路が内部を通過するように配置されたケーシング３を備え、このケーシング３内に、前後一対のキャプスタン４，５と、被覆電線１を水膜流の中を走行させて冷却するための水膜流形成用溝状体６と、この水膜流形成用溝状体６に冷却水を流入させるための給水管１０と、水膜流形成用溝状体６を支持するとともに、水膜流形成用溝状体６の昇降を行う溝状体昇降装置１１とが設けられている。
【００２２】
ケーシング３は、被覆電線１の走行方向（図１の左右方向）に長尺で、上方が開口した箱状に形成されており、蓋部材が開閉可能に取り付けられるようになっている。前後キャプスタン４，５は、被覆電線１の走行方向に直交する横軸の回りに回転自在でかつ片持ち状に支持されており、両キャプスタン４，５のうち、前キャプスタン４（図１の右側）は、ケーシング３の外側のモータ（図示省略）によって回転駆動される駆動輪として機能し、後キャプスタン５（図１の左側）は回転駆動されない従動輪として機能する。これにより、冷却水槽からのケーシング３内に入った被覆電線１は、まず、前キャプスタン４に上から巻き付いて後方へ戻り、その後、後キャプスタン５に下から巻き付いて再度前方へ送られることで前後キャプスタン４，５間を往復するようになっていて、この往復を何回か繰り返したあとケーシング３の被覆電線走行方向で下流側へ送り出されるようになっている。
【００２３】
水膜流形成用溝状体６は、前後キャプスタン４，５の間に配置されており、前後キャプスタン４，５間の下側被覆電線走行路に沿って延びるこの実施形態では断面矩形形状溝６ａを有している。より詳しくは、水膜流形成用溝状体６は、下側被覆電線走行路に沿って延びる底面と、この底面の下側被覆電線走行路に沿う両側にそれぞれ設けられた左側面，右側面とからなり（図３参照）、幅方向（被覆電線１の走行方向に直交する方向）には水膜流の流出を阻止する壁面がある一方、被覆電線入側端と出側端とは完全に開放されている。
【００２４】
この水膜流形成用溝状体６の被覆電線入側位置の直上方には、間隔をあけて設けられた複数個の噴射ノズル１０ａを有して水膜流形成用溝状体６の幅方向に延びる給水管１０が設けられている。給水管１０の噴射ノズル１０ａによって冷却水がシャワー状に噴射されて、水膜流形成用溝状体６の被覆電線入側から被覆電線出側にわたって低水位の水膜流が形成されるようになっている。なお、ケーシング３の底部外側には、水膜流形成用溝状体６から落下した冷却水を返送し循環させるための図示しないドレン容器やドレン配管などが設けられている。
【００２５】
このように、本実施形態の被覆電線引取機は、従来とは違って水膜流形成用溝状体６を備えているので、図４に示すように、前後キャプスタン４，５間の下側被覆電線走行路を走行する被覆電線１を水膜流２という低水位（被覆電線１の外径の１〜２倍程度の深さ水位）の冷却水流の中を走行させることにより、冷却水との接触に起因して被覆電線１にかかるストレスが小さくてすみ、また、従来のシャワー冷却水によるものに比べて被覆電線１と冷却水との接触面積や時間が増加することで被覆電線１に対する高い冷却能力を有することができる。よって、ストレスによる被覆電線の伸びによって樹脂被覆と芯線との密着力低下を招くことなく、被覆電線１を所定温度にまで冷却することができる。
【００２６】
また、この実施形態の被覆電線引取機は、水膜流形成用溝状体６に冷却水を流入させる給水管１０を、水膜流形成用溝状体６における被覆電線入側に設けている。したがって、走行する被覆電線１によって冷却水が運ばれていくようになるので、下側被覆電線走行路の被覆電線１全体にわたって冷却水がまわり易くて、被覆電線１に対する高い冷却能力を発揮でき、また、被覆電線走行方向と同一方向に水膜流２が流れることで、被覆電線１にかかるストレスがより小さくてすむ。
【００２７】
次に、水膜流形成用溝状体６の昇降を行う溝状体昇降装置１１について説明する。図５は本発明に係る溝状体昇降装置を説明するための図である。
【００２８】
被覆電線引取機においては、被覆電線の製造にあたり、最初に芯線（銅線）が前後キャプスタン４，５に巻きつけられている。そして、押出機によって樹脂被覆が開始されると、前後キャプスタン４，５間に芯線のみの部分と樹脂被覆された被覆電線部分とが同時に存在することとなる。このとき、芯線と被覆された電線との線径の違いによる走行速度差を生じて、被覆電線製造開始時に、図５に実線で示すように、前後キャプスタン４，５間において線たるみが発生することがある。
【００２９】
本実施形態による被覆電線引取機では、被覆電線製造開始時に、溝状体昇降装置１１によって水膜流形成用溝状体６を冷却時通常位置（図５に想像線で示す）より下方へ下げておくようにしている。これにより、被覆電線製造開始時に、前後キャプスタン４，５間において線たるみが発生しても、前後キャプスタン４，５間を走行している線と水膜流形成用溝状体６の表側面との干渉を回避して、干渉によって線たるみが前後キャプスタン４，５に伝達することを回避でき、その結果、前後キャプスタン４，５からの線はずれを防止することができる。開始から所定時間経過して、前述の同時存在状態が解消されると、溝状体昇降装置１１によって水膜流形成用溝状体６が冷却時通常位置にまで戻されるようになっている。なお、溝状体昇降装置１１は、例えばエアシリンダなどによって構成することができる。
【００３０】
図６は本発明に係る水膜流形成用溝状体の別の例を示す斜視図、図７は本発明に係る水膜流形成用溝状体の別の例を示す断面図、図８は本発明に係る水膜流形成用溝状体の別の例を示す断面図である。
【００３１】
図６に示す水膜流形成用溝状体７は、図３に示す水膜流形成用溝状体６との相違点として、被覆電線入側端と出側端の各壁面を下方へ折り曲げた構造としており、これにより強度アップを図るようにしている。図７に示す水膜流形成用溝状体８は、同図に示すように、下側被覆電線走行路の各被覆電線走行路それぞれに沿って延びる本例では３本の断面半円形形状溝８ａを有している。また、図８に示す水膜流形成用溝状体９は、同図に示すように、下側被覆電線走行路の各被覆電線走行路それぞれに沿って延びる本例では３本の断面矩形形状溝９ａを有している。このように、水膜流を形成するための水膜流形成用溝状体として、図７及び図８に示すように、下側被覆電線走行路の各被覆電線走行路それぞれに沿って延びる溝８ａ，９ａを有する構造の水膜流形成用溝状体８，９としてもよい。
【図面の簡単な説明】
【００３２】
【図１】本発明の一実施形態による被覆電線引取機の概略図であって、その（ａ）は平面図、その（ｂ）は側面断面図である。
【図２】図１に示す被覆電線引取機の要部斜視図である。
【図３】図１における水膜流形成用溝状体を示す斜視図である。
【図４】図１における水膜流形成用溝状体を説明するための断面図である。
【図５】本発明に係る溝状体昇降装置を説明するための図である。
【図６】本発明に係る水膜流形成用溝状体の別の例を示す斜視図である。
【図７】本発明に係る水膜流形成用溝状体の別の例を示す断面図である。
【図８】本発明に係る水膜流形成用溝状体の別の例を示す断面図である。
【図９】被覆電線製造ラインの一般的な構成を示す図である。
【図１０】図９における従来の被覆電線引取機の一例を示す概略構成図である。
【図１１】従来技術に係る電線冷却装置の構成を示す概略構成図である。
【符号の説明】
【００３３】
１…被覆電線
２…水膜流
３…ケーシング
４…前キャプスタン４
５…後キャプスタン５
６…水膜流形成用溝状体
６ａ…断面矩形形状溝
７…水膜流形成用溝状体
８…水膜流形成用溝状体
８ａ…断面半円形形状溝
９…水膜流形成用溝状体
９ａ…断面矩形形状溝
１０…給水管
１０ａ…噴射ノズル
１１…溝状体昇降装置
【図１】
2006127862.tif 000003
【図２】
2006127862.tif 000004
【図３】
2006127862.tif 000005
【図４】
2006127862.tif 000006
【図５】
2006127862.tif 000007
【図６】
2006127862.tif 000008
【図７】
2006127862.tif 000009
【図８】
2006127862.tif 000010
【図９】
2006127862.tif 000011
【図１０】
2006127862.tif 000012
【図１１】
2006127862.tif 000013